(57)【要約】【課題】ガスメータの計測部に前面ケースを固定するための固定ネジ本数を削減し、コストダウンを図るとともに、組立て性を向上させ、さらにガスメータ前面の美観を向上させたガスメータを提供する。【解決手段】ガスメータ１００は、ガス流入口１ａおよびガス流出口１ｂを有し内部を通過するガスの流量を計測するための機構を収容する計測部ケース５ａと、この計測部ケース５ａの前方に設けた電子制御ユニット２と、計測部ケース５ａの前面に固定され電子制御ユニット２を収納する前面ケース３を備えており、前面ケースの上面部後方側に設けた勘合爪４と、計測部ケース５ａの上面部前方縁に設けた勘合壁６とを勘合させるとともに、端子カバー９の内部で前面ケース３の下部を計測部ケース５ａにネジ止めしている。【選択図】図２
2010071785.tif 000002
【特許請求の範囲】
【請求項１】
ガス流入口およびガス流出口を有し内部を通過するガスの通過量を計測するための機構を収容する計測部ケース、該計測部ケースの前方に設けた電子制御ユニット、前記計測部ケースの前面に固定され前記電子制御ユニットを収納する前面ケースを備えたガスメータであって、
前記前面ケースの上面部後方側に設けた勘合爪と、前記計測部ケースの上面部前方縁に設けた勘合壁とを勘合させるとともに、前記前面ケースの下部を前記計測部ケースにネジ止めすることによって、前記前面ケースを前記計測部ケースに固定したことを特徴とするガスメータ。
【請求項２】
請求項１に記載のガスメータであって、前記電子制御ユニットの下方に外部機器との電気的接続を行うための接続部を有し、該接続部に対向する位置の前記前面ケースに接続用開口部を有し、該接続用開口部を着脱自在に覆う端子カバーを備えており、該端子カバー内部で前記前面ケースの下部が前記計測部ケースにネジ止めされていることを特徴とするガスメータ。
【発明の詳細な説明】
【技術分野】
【０００１】
本発明はガスメータに関し、より詳細には、取付け作業が簡単で取付部品点数の少ない前面ケースを備えたガスメータに関する。
【背景技術】
【０００２】
図４は、従来のガスメータの正面図であり、図５はその分解斜視図である。
従来のガスメータ２００は、ガスメータ２００の後方に配置され、ガス配管と接続可能なガスの流入部１ａ、流出部１ｂを有する計測部５を通過したガスの流量ないし体積を積算するよう構成されている。
【０００３】
例えば、膜式ガスメータの場合には、計測部５の下部には、ダイヤフラムによって仕切られた複数の計量室が設けられており、計測部５の内部を流れるガスの流れによってダイヤフラムを往復動作させている。また、計測部５の上部には、この往復運動を回転運動へ変換するリンク機構や、この回転運動によって計量室へのガスの出入りを切り替えるバルブのほかに、圧力センサや遮断弁などが設けられている。
【０００４】
リンク機構による回転運動は、計測部５の前面上部に設けた機械式カウンタにも伝えられ、機械式カウンタの表示器１１によってガス流量の積算値が表示されるようになっている。また、計測部５の前面下部ないし中央部には、ガスメータ２００における各種機能を実現するためのマイコンを搭載した基板を有する電子制御ユニット２が設けられており、ガス流量値の異常を検出して遮断弁を閉じるための異常検出回路などとして機能している。この電子制御ユニット２の下部には、ガス漏れ警報器などの外部機器との電気的接続を行うための接続部８を有している。
【０００５】
ガスメータ２００は、屋外に設置されることが多く、外部からの水分や埃から表示器１１や電子制御ユニット２を保護するために、ガスメータ２００の前面に前面ケース３が配置固定されており、この前面ケース３の中に表示器１１や電子制御ユニット２を収納している。また、電子制御ユニット２の下部に設けた接続部８から外部への配線を可能にするため、前面ケース３の下部には接続用開口部１２が設けられるとともに、接続部８を外部からの水分や埃から保護するために、前面ケース３の接続用開口部１２を塞ぐ端子カバー９が設けられている。
【０００６】
そして、このような電子制御ユニット２を覆うガスメータの前面ケース３を計測部５に固定するために、従来のガスメータ２００では、ガスメータ前面側より複数の固定ネジ10により計測部５のケースにねじ止めし固定していた。
このような前面ケースの取付け構造を有するガスメータとしては、例えば特許文献１に記載されているものがある。
【特許文献１】特開２００３−３１５３３号公報
【発明の開示】
【発明が解決しようとする課題】
【０００７】
従来のガスメータでは、前面ケース３を計測部５に確実に固定するためには前面ケース３の四隅などに多数のネジ止めをする必要があり、固定ネジ１０の本数を削減することができず、前面ケース３の取り付けの作業性にも時間がかかっていた。また、前面よりガスメータを見たとき、固定ネジ１０は露出しており、美観を損ねる原因となっていた。
【０００８】
本発明は、このような実状に鑑みてなされたものであり、ガスメータの計測部に前面ケースを固定するための固定ネジ本数を削減し、コストダウンを図るとともに、組立て性を向上させ、さらにガスメータ前面の美観を向上させたガスメータを提供することを、その目的とする。
【課題を解決するための手段】
【０００９】
請求項１の発明は、ガス流入口およびガス流出口を有し内部を通過するガスの通過量を計測するための機構を収容する計測部ケース、該計測部ケースの前方に設けた電子制御ユニット、前記計測部ケースの前面に固定され前記電子制御ユニットを収納する前面ケースを備えたガスメータであって、前記前面ケースの上面部後方側に設けた勘合爪と、前記計測部ケースの上面部前方縁に設けた勘合壁とを勘合させるとともに、前記前面ケースの下部を前記計測部ケースにネジ止めすることによって、前記前面ケースを前記計測部ケースに固定したことを特徴としたものである。
【００１０】
請求項２の発明は、請求項１の発明において、前記電子制御ユニットの下方に外部機器との電気的接続を行うための接続部を有し、該接続部に対向する位置の前記前面ケースに接続用開口部を有し、該接続用開口部を着脱自在に覆う端子カバーを備えており、該端子カバー内部で前記前面ケースの下部が前記計測部ケースにネジ止めされていることを特徴としたものである。
【発明の効果】
【００１１】
本発明のガスメータによれば、前面ケースは、前面ケースの上面部後方側に備えられた勘合爪をガスメータの計測部ケースの上面部前方縁から張り出した勘合壁に勘合することで計測部に固定されるため、前面ケース下方のみを固定ネジでネジ止めすれば確実に前面ケースを計測部に固定することができ、前面ケースが計測部から脱落することを防止できる。さらに、固定ネジ本数を削減することができ、部品点数の減少によるコストダウンを図れるとともに、組立て性が向上する。
また、前面ケース下方にねじ締めされる固定ネジは、その前面に配置される端子カバーにより隠蔽されるため、ガスメータ前面側の美観を向上させることが可能となる。
【発明を実施するための最良の形態】
【００１２】
図１は本発明の一実施形態に係るガスメータの正面図であり、図２はその側面から見た断面図である。また、図３はその分解斜視図である。
なお、本発明の一実施形態に係るガスメータ１００において、従来のガスメータ１００と同じ構成部材に関しては同じ符号を用いている。
【００１３】
ガスメータ１００は、従来のガスメータ２００と同様に、ガスメータ１００の後方に配置され、ガス配管と接続可能なガスの流入部１ａ、流出部１ｂを有する計測部５を通過したガスの流量ないし体積を積算するよう構成されている。
【００１４】
計測部５の下部には、例えば、膜式ガスメータの場合は、ダイヤフラムによって仕切られた複数の計量室が設けられており、計測部５の上部には、このダイヤフラムの往復運動を回転運動へ変換するリンク機構や、この回転運動によって計量室へのガスの出入りを切り替えるバルブのほかに、圧力センサや遮断弁などが設けられている。このように、計測部５のケース５ａは、内部を通過するガスの通過量を計測するための機構を収容している。
【００１５】
リンク機構による回転運動は、計測部５の前面上部に設けた機械式カウンタにも伝えられ、機械式カウンタの表示器１１によってガス流量の積算値が表示されるようになっている。また、計測部５の前面下部ないし中央部には、ガスメータ１００における各種機能を実現するためのマイコンを搭載した基板を有する電子制御ユニット２が設けられている。この電子制御ユニット２の下部には、ガス漏れ警報器などの外部機器との電気的接続を行うための接続部８を有している。
【００１６】
ガスメータ１００の前面には、これらの表示器１１や電子制御ユニット２を外部の水分や埃から保護するために、樹脂等の材料からなる前面ケース３が配置固定されており、この前面ケース３の接続部８と対向する位置には接続用開口部１２が設けられるとともに、この前面ケース３の接続用開口部１２を塞ぐ端子カバー９が着脱可能に取り付けられている。
ガスメータ１００のこれらの構成は従来のガスメータ２００と同様であるが、ガスメータ１００としては、膜式ガスメータに限らず、超音波式ガスメータなど他の形式のガスメータであってもよい。
【００１７】
ここで、前面ケース３は、ガスメータ１００の前面に位置し、表示器１１を目視するための窓１５や電子制御ユニット２に設けられた液晶表示部を目視するための窓１６を有する前面部と、左右の側面部、上面部、および下面部を有しており、前面ケース３の上面部後方側には、下方に突出した勘合爪４を一体成型によって設けている。また、前面ケース３の下方の端子カバー９内部であって外部から隠れる部分には、固定ネジ７を貫通するための貫通穴１３が設けられている。他方、ガスメータ１００の計測部５を収納するケース５ａの上面部の前方縁には、前面ケース５の勘合爪４と勘合する上方に張り出した勘合壁６が設けられ、さらに、前面ケース３の貫通穴１３に対向する位置にネジ穴１４が設けられている。
【００１８】
そして、前面ケース３を計測部５に取り付け固定する場合は、まず、前面ケース３の勘合爪４が計測部ケース５ａの勘合壁６の上方に位置するように、前面ケース３の両側面を計測部５のケース５ａの前面に当接した後、前面ケース３を下方に移動することによって、前面ケース３の勘合爪４と計測部ケース５ａの勘合壁６とを勘合し、さらに、前面ケース３の下方にある貫通穴１３に固定ネジ７を貫通し、計測部ケース５ａの下方に設けたネジ穴１４に固定ネジ７をねじ締めする。
【００１９】
これにより、前面ケース３を計測部ケース５ａに確実に固定することができ、前面ケース３の脱落が防止できる。
そして、固定ネジ７がねじ締めされる箇所の正面側には、前面ケース３の接続用開口部１２を塞ぐ端子カバー９が着脱可能に取り付けられるため、固定ネジ７は隠蔽される。
【００２０】
なお、本実施例では、１本の固定ネジ７を用いているが、複数本であってもよい。また、前面ケース３に設けた窓１５、１６には、外部からの水分や埃が侵入するのを防止するためのガラスを設けてもよい。
さらに、例えば、表示器１１の前面に既に表示器を覆う収納ケースが設けられおり、この収納ケースの前面にガラスが設けられているような場合は、窓１５を開口部とし、窓１５の内側周辺部と表示器収納ケースの前面のガラス外周部との間にパッキングを介して前面ケース３を計測部ケース５ａに取り付けることも可能である。
【００２１】
また、このように表示器１１は前面ケース３とは別部品となる表示器収納ケースに収められてもよく、この場合、勘合壁６を表示器収納ケースに設けるようにしてもよい。
なお、本実施例では計測部５のケース５ａは一つで構成されているが、上下２つのケースで構成されていてもよい。
【図面の簡単な説明】
【００２２】
【図１】本発明の一実施形態に係るガスメータの正面図である。
【図２】本発明の一実施形態に係るガスメータの側面から見た断面図である。
【図３】本発明の一実施形態に係るガスメータの分解斜視図である。
【図４】従来のガスメータの正面図である。
【図５】従来のガスメータの分解斜視である。
【符号の説明】
【００２３】
１ａ…流入部、１ｂ…抽出部、２…電子制御ユニット、３…前面ケース、４…勘合爪、５…計測部、５ａ…計測部ケース、６…勘合壁、７，１０…固定ネジ、８…接続部、９…端子カバー、１１…表示器、１２…接続用開口部、１３…貫通穴、１４…ネジ穴、１５，１６…窓、１００，２００…ガスメータ。
【図１】
2010071785.tif 000003
【図２】
2010071785.tif 000004
【図３】
2010071785.tif 000005
【図４】
2010071785.tif 000006
【図５】
2010071785.tif 000007